(57)【要約】【課題】  構造物の出入口を開閉する防水装置において、引戸式の防水扉を閉じ位置にスライド移動させると自動的に止水手段が作動して、この防水扉の下端側縁および前、後両側縁を水密のシールすることができ、外部からの浸水を確実に防ぐことができる。【解決手段】  防水扉Ｄは、その扉本体１０の下側縁、前側縁および後側縁にそれぞれ止水手段Ｓが設けられ、それらの止水手段Ｓは、防水扉Ｄが出入口Ａを閉じたときに連動して一斉に自動的に作動して扉本体１０の下側縁、前側縁および後側縁を、床レール１、戸当り柱３および案内柱４の内側面に水密に圧接する。【選択図】    図２
2008150829.tif 000002
【特許請求の範囲】
【請求項１】
構造物の出入口（Ａ）の床面を横切る方向に敷設される床レール（１）と該床レール（１）上に設けられる上部レール（２）とに沿ってスライド移動可能であり、前記出入口（Ａ）を開閉し得る引戸式の防水扉（Ｄ）と、
前記出入口（Ａ）の一側に立設されて防水扉（Ｄ）を閉じ位置に止める戸当り柱（３）と、
前記出入口（Ａ）の他側に立設されて防水扉（Ｄ）のスライド移動を案内する案内柱（４）とを備えた防水扉装置において、
前記防水扉（Ｄ）は、扉本体（１０）と、この扉本体（１０）の下側縁、前側縁および後側縁にそれぞれ設けられる止水手段（Ｓ）と、それらの止水手段（Ｓ）を連動させる連動機構（Ｃｆ，Ｃｒ）と、前記防水扉（Ｄ）が出入口（Ａ）を閉じたときに、これを感知して前記止水手段（Ｓ）を一斉に自動的に作動させる感知手段（３５）とを備え、前記止水手段（Ｓ）は、その作動時に扉本体（１０）の下側縁、前側縁および後側縁と、前記床レール（１）、戸当り柱（３）および案内柱（４）との間を水密にシールすることを特徴とする引戸式防水装置。
【請求項２】
前記止水手段（Ｓ）は、扉本体（１０）の下外枠（１２）および前、後外枠（１３，１４）にそれぞれ設けられる下部押圧棒（２４（ｄ））および前、後部押圧棒（２４（ｆ），２４（ｒ））と、各押圧棒（２４（ｄ），（２４（ｆ），２４（ｒ））と前記外枠（１２，１３，１４）との間を連結し、各押圧棒の長手方向の移動に伴って下部押圧棒（２４（ｄ））および前、後部押圧棒（２４（ｆ），２４（ｒ））を、前記床レール（１）および戸当り柱（３）、案内柱（４）の内側面に対して平行移動させるリンク機構（Ｌ）と、前記各押圧棒（２４（ｄ），（２４（ｆ），２４（ｒ））の長手方向の外側面にそれぞれ沿設される止水ゴム（２０）とを備え、前記各押圧棒（２４（ｄ），（２４（ｆ），２４（ｒ））の平行移動に伴って前記止水ゴム（２０）を前記内側面に圧接させるようにしたことを特徴とする、前記請求項１記載の引戸式防水装置。
【請求項３】
前記連動機構（Ｃｆ，Ｃｒ）は、前記下外枠（１２）に設けられる下部押圧棒（２４（ｄ））の前、後両端と、前、後外枠（１３，１４）にそれぞれ設けられる前部および後部押圧棒（２４（ｆ））の下端との間にそれぞれ設けられる前部および後部カム機構（Ｃｆ，Ｃｒ）により構成され、それらのカム機構（Ｃｆ，Ｃｒ）は、下部押圧棒（２４（ｄ））の作動に連動して前部押圧棒（２４（ｆ））および後部押圧棒（２４（ｒ））を作動し、それらの押圧棒（２４（ｄ），２４（ｆ）、２４（ｒ））は同時にそれらの長手方向に移動しつつ幅方向に平行移動して、下外枠（１２）および前、後外枠（１３，１４）にそれぞれ設けられる、前記止水手段（Ｓ）を同調作動させるようにしたことを特徴とする、前記請求項１または２記載の引戸式防水装置。
【請求項４】
前記感知手段（３５）は、下外枠（１２）の下部押圧棒（２４（ｄ））の前端に一体に突設されるプランジャー（３５）よりなり、このプランジャー（３５）は、前記戸当り柱（３）に設けた戸当り部材（３６）に対向しており、前記防水扉（Ｄ）が閉じたときに、プランジャー（３５）の戸当り部材（３６）への当接により下部押圧棒（２４（ｄ））を作動し、これに連動して複数の前記止水手段（Ｓ）を自動的に作動できるようにしたことを特徴とする、前記請求項１，２または３記載の引戸式防水装置。
【請求項５】
前記扉本体（１０）は、アルミ合金材などの軽合金材の押出し材により形成されることを特徴とする、前記請求項１，２，３または４記載の引戸式防水装置。
【発明の詳細な説明】
【技術分野】
【０００１】
本発明は、各種ビル、地下鉄、地下街、地下道、地下駐車場などの構造物において、その出入口から構造物内への水の流入を防止するための引戸式防水装置に関する。
【背景技術】
【０００２】
近年、都市部などの一部地域における集中豪雨、洪水等に因り、ビル、地下鉄、地下街、地下道、地下駐車場などの構造物内にその出入口から水が急激に流入、浸水して多大の被害を及ぼすケースが問題となっている。
【０００３】
このような構造物の出入口からの水の急激な流入に対しては、土嚢の積み上げ等の対策では間に合わない場合が多く、そこで前記構造物の出入口に、これを横切るように防水扉をスライド移動させてその出入口を水密にシールする、引戸式の防水扉装置、たとえば、後記特許文献１に開示されるように既に提案されている。
【特許文献１】特許第３３２６４８８号公報
【発明の開示】
【発明が解決しようとする課題】
【０００４】
ところで、前記従来の防水扉装置は、引戸式の扉本体と、ビルなどの出入口の左右に立設するガイド柱と、戸当り柱と、床面に敷設されるレールと、扉本体に搭載される密閉装置とを備えており、前記密閉装置は、扉本体の上に設けた手動ハンドルにより複数の偏心ローラを一斉に回転させて扉本体を後面側に平行移動させて扉本体の両側端縁、下端縁を水密にシールするような構造となっているため、操作者は、扉本体を走行移動させる操作と、その後の手動ハンドルの回転操作を行わねばならず、その操作が面倒であるばかりでなく、緊急の場合に、扉本体のシールが間に合わなくなるという問題があり、またハンドルの回転操作で扉本体自体を平行移動させるので、その操作性が悪いという問題もある。
【０００５】
さらに、扉本体は板材を折り曲げ加工により箱状に形成し、そこに密閉装置を組み付けるようにしているために、その製作に手間取り、コスト高を招くという問題もある。
【０００６】
本発明は、かかる事情に鑑みてなされたもので、防水扉をスライド移動させるだけで出入口を閉じると同時に防水扉を出入口に水密にシールできるようにし、しかも容易に製作できるようにした、新規な引戸式防水装置を提供することを目的とする。
【課題を解決するための手段】
【０００７】
上記目的を達成するために請求項１の発明は、構造物の出入口の床面を横切る方向に敷設される床レールと該床レール上に設けられる上部レールとに沿ってスライド移動可能であり、前記出入口を開閉し得る引戸式の防水扉と、前記出入口の一側に立設されて防水扉を閉じ位置に止める戸当り柱と、前記出入口の他側に立設されて防水扉のスライド移動を案内する案内柱と、を備えた防水扉装置において、
前記防水扉は、扉本体と、この扉本体の下側縁、前側縁および後側縁にそれぞれ設けられる止水手段と、それらの止水手段を連動させる連動機構と、前記防水扉が出入口を閉じたときに、これを感知して前記止水手段を一斉に自動的に作動させる感知手段とを備え、前記止水手段は、その作動時に扉本体の下側縁、前側縁および後側縁と、前記床レール、戸当り柱および案内柱との間を水密にシールすることを特徴としている。
【０００８】
上記目的を達成するために請求項２の発明は、前記請求項１記載のものにおいて、前記止水手段は、扉本体の下外枠および前、後外枠にそれぞれ設けられる下部押圧棒および前、後部押圧棒と、各押圧棒と前記外枠との間を連結し、各押圧棒の長手方向の移動に伴って下部押圧棒および前、後部押圧棒を、前記床レールおよび戸当り柱、案内柱の内側面に対して平行移動させるリンク機構と、前記各押圧棒の長手方向の外側面にそれぞれ沿設される止水ゴムとを備え、前記各押圧棒の平行移動に伴って前記止水ゴムを前記内側面に圧接させるようにしたことを特徴としている。
【０００９】
上記目的を達成するために請求項３の発明は、前記請求項１または２記載のものにおいて、前記連動機構は、前記下外枠に設けられる下部押圧棒の前、後両端と、前、後外枠にそれぞれ設けられる前部および後部押圧棒の下端との間にそれぞれ設けられる前部および後部カム機構により構成され、それらのカム機構は、下部押圧棒の作動に連動して前部押圧棒および後部押圧棒を作動し、それらの押圧棒は同時にそれらの長手方向に移動しつつ幅方向に平行移動して、下外枠および前、後外枠にそれぞれ設けられる、前記止水手段を同調作動させるようにしたことを特徴としている。
【００１０】
上記目的を達成するために請求項４の発明は、前記請求項１，２または３記載のものにおいて、前記感知手段は、下外枠の下部押圧棒の前端に一体に突設されるプランジャーよりなり、このプランジャーは、前記戸当り柱に設けた戸当り部材に対向しており、前記防水扉が閉じたときに、プランジャーの戸当り部材への当接により下部押圧棒を作動し、これに連動して複数の前記止水手段を自動的に作動できるようにしたことを特徴としている。
【００１１】
上記目的を達成するために請求項５の発明は、前記請求項１，２，３または４記載のものにおいて、前記扉本体は、アルミ合金材などの軽合金材の押出し材により形成されることを特徴としている。
【発明の効果】
【００１２】
前記請求項各項記載の発明によれば、引戸式の防水扉を閉じ位置にスライド移動させると自動的に止水手段が作動して、この防水扉の下端側縁および前、後両側縁を水密のシールすることができ、外部からの浸水を確実に防ぐことができ、前記従来のもの（特許文献１のもの）のような、防水扉を閉じてからの手動ハンドルによる止水操作を必要とせず、その操作が容易であるばかりでなく、緊急時の止水措置を迅速に行うことができる。
【００１３】
また、特に請求項２、３、４の発明によれば、押圧棒の移動で防水ゴムを作動させて止水作用がなされ、防水扉全体を移動させないで済むので、止水操作を迅速、軽快に行うことができる。
【００１４】
また、特に請求項５の発明によれば、扉本体およびその外縁を縁取る上、下外枠  および前、後外枠はいずれもアルミ合金の押出し材により形成されることにより、それらの製作が容易になり、さらに、それらへの止水手段の組み付け精度およびシール性を高めることができると共にその組付性を向上させることができる。
【発明を実施するための最良の形態】
【００１５】
本発明の実施の形態を、添付図面に例示した本発明の実施例に基づいて以下に具体的に説明する。
【００１６】
図１〜図１５は本発明の一実施例を示すものであって、図１（Ａ）および（Ｂ）は、引戸式防水装置の防水扉の開状態およびその閉状態を示す斜視図、図２は、図１（Ｂ）の２線矢視拡大図、図３は、図２の３−３線に沿う拡大断面図、図４は、図２の４矢視仮想線囲い部分の拡大図、図５は、図２の５−５線に沿う拡大断面図、図６は、図５の６−６線に沿う拡大断面図、図７は、防水扉開状態の図５と同じ断面図、図８は、図７の８−８線に沿う拡大断面図、図９は、図２の９−９線に沿う断面図、図１０は、図２の１０−１０線に沿う概略断面図、図１１は、図１０の１１矢視仮想線囲い部分の斜視図、図１２は、図１０の１２矢視仮想線囲い部分の斜視図、図１３は、防水扉開状態の図１０と同じ断面図、図１４は、図１３の１４矢視仮想線囲い部分の斜視図、図１５は、図１３の１５矢視仮想線囲い部分の斜視図である。
【００１７】
図１において、構造物としての建物の壁Ｗには出入口Ａが設けられ、この出入口Ａには、本発明にかかる引戸式防水装置が装備され、集中豪雨、洪水等の非常時にこの引戸式防水装置を閉状態とすることにより、外部から出入口Ａを通して建物内に水が流入するのを防止できるようになっており、また平時にはその引戸式防水装置を開状態とすることにより通常の出入口Ａとして利用される。
【００１８】
引戸式防水装置は、床レール１と、床レール１の上方において壁Ｗの前部に設けられる上部レール２と、出入口Ａの左右両側に立設される戸当り柱３および案内柱４と、床レール１と上部レール２に沿ってスライド移動する引戸式の防水扉Ｄと、その防水扉Ｄに装備される止水手段Ｓを備えている。
【００１９】
床レール１は構造物Ｂである建物の前部を、出入口Ａと壁Ｗとを横切って敷設されて、断面ピット状に形成されており、その底面には、山形レール５が敷設されている。上部レール２は、下面開放のコ字状に形成され、床レール１との間で、後述する防水扉Ｄのスライド移動を案内する。案内柱４は出入口Ａの一側端に沿って床面より立設されて門型に形成されていて防水扉Ｄを貫通して案内し、その上部に上部レール２が一体に接続される。また戸当り柱３は出入口Ａの他側端に沿って床面より立設され、防水扉Ｄが閉じたときに当接して、その閉じ位置を規制する。
【００２０】
つぎに、引戸式の防水扉Ｄの構造を説明する。
【００２１】
この防水扉Ｄは、前記出入口Ａの横幅よりも若干幅広に形成されてその出入口Ａを全閉できる大きさを有しており、その主体部分を構成する扉本体１０は、アルミ合金の押出し材により横長の方形状に形成されており、その中空の内部は、補強材により補強されて軽量でかつ十分の強度を有する。扉本体１０の外縁は、同じくアルミ合金の押出し材よりなる上、下外枠１１，１２および前、後外枠１３，１４によって一体に縁取りされており、そのうち、下外枠１２および前、後外枠１３，１４には、本発明にかかる止水手段Ｓ（後に詳述する）が設けられている。
【００２２】
図２，３に示すように、前記上外枠１１の後端には、案内ローラ１５が回転自在に軸支されており、この案内ローラ１５は前記上部レール２内を転動して、防水扉Ｄのスライド移動を案内する。また、図２，４に示すように、上外枠１１の前端には、後に述べるスナッチロック５３（従来公知）が設けられており、このスナッチロック５３は、前記戸当り柱３上部に設けた係止部材３７に着脱可能に係合して防水扉Ｄを閉じ位置にロックする。      
【００２３】
また、図１，２に示すように、扉本体１の外面の上方前部にはハンドル１６が固定され、操作者はこのハンドル１６を把持して防水扉Ｄを手動により開閉操作することができる。
【００２４】
図２，３に示すように、止水手段Ｓの設けられる下外枠１２は、床レール１内に摺動自在に嵌挿されており、この下外枠１２の内面（背面）と床レール１の内側面間には摺動材７が介在されており、この摺動材７は、扉本体１０の摺動を円滑にするとともに扉本体１０の横移動を抑止する。下外枠１２の下面前後に、断面逆Ｕ字状のブラケット１７を介して一対の転動輪１８が回転自在に軸架されており、これらの転動輪１８は、床レール１内に敷設される山形レール５上を転動して、防水扉Ｄを前後に軽快に移動できるようにされている。
【００２５】
また、扉本体１０の下外枠１2 および前、後外枠１３，１４には、いずれも防水扉Ｄが閉じ位置にきたとき、この防水扉Ｄと出入口Ａ間を自動的に水密にシールして、建物内への浸水を阻止するようにした止水手段Ｓが設けられる。
【００２６】
以下、図２，３，５〜８を参照して下外枠１２に設けられる止水手段Ｓを選択してその具体的な構造について説明する。
【００２７】
図６，８に最も明瞭に示すように、防水扉Ｄの下外枠１２の外面（屋外側）には、そのスライド方向の全長にわたり、ウレタンゴムなどの弾性体よりなる止水ゴム２０が着脱可能に固定されている。この止水ゴム２０は、防水扉Ｄの左右方向（スライド方向）に沿って帯状をなし、床レール１の内側面１ｉに対面するように所定の上下幅をもって断面板状に形成されている。止水ゴム２０の玉縁を有する下端２０ｄは下外枠１２に形成した長溝２１に抜け出すことがないように嵌挿され、また、止水ゴム２０の玉縁を有する上端２０ｕは、下外枠１２の下端前面と、そこにビス止め２２される止片２３間に着脱可能に固定されている。下外枠１２内には、断面四角な下部押圧棒２４（ｄ）がその長手方向（防水扉Ｄのスライド方向）に摺動可能に収容されており、この下部押圧棒２４（ｄ）の外側面は止水ゴム２０の弾発力により、その止水ゴム２０の背面に当接される。下部押圧棒２４（ｄ）には、その長手方向に間隔をあけて複数の切欠部２５が隔設されており、この切欠部２５は下面および背面に開放されていて平面長方形に形成されている。また、下外枠１２内には、前記切欠部２５に対応して複数のリンク機構Ｌが、その長手方向に間隔をあけて設けられている。各リンク機構Ｌは、下外枠１２に２本のボルト２７により固定されるホルダ２８と、このホルダ２８に縦軸２９をもって左右方向に揺動可能に軸支されるアーム３０と、ホルダ２８に固定されてアーム３０の起立位置を規制するストッパー部材３３とより構成されており、このアーム３０の先端部は、下外枠１２に設けた通し孔３１を貫通して前記下部押圧棒２４（ｄ）の切欠部２５に臨んでおり、そのアーム３０の先端は、連結ピン３２をもって回動可能にピン連結されている。
【００２８】
図２，１０，１１に示すように、下部押圧棒２４（ｄ）の前端（右端）には、感知手段としてのプランジャー３５が前方に向けて一体に突設されており、また、前記戸当り柱３の下部には、前記プランジャー３５の先端に対向してウレタンゴムなどの弾性体よりなる戸当り部材３６が固定されている。そして図２、１１に示すように、防水扉Ｄが閉じ位置にスライド移動したとき、プランジャー３５は戸当り部材３６に当接し、下部押圧棒２４を下外枠１２に対して後退移動（左移動）させる。下部押圧棒２４（ｄ）が（図５，６矢印ａ方向）に押圧されて後退移動すると、図５，６，１１に示すように、複数のリンク機構Ｌの各アーム３０は起立方向に揺動されて、ストッパー部材３３に係合する。これにより、アーム３０は起立位置に保持され、下部押圧棒２４（ｄ）は、止水ゴム２０の弾発力に抗して外方（屋外側、図５，６矢印ｂ方向）に平行移動され、止水ゴム２０を床レール１の内側面１ｉに圧接させて止水手段Ｓを作動状態とすることができる。このとき、扉本体１０は止水ゴム２０の反力で内側（屋内側）への押圧力をうけるが、この押圧力を摺動材７により受けることができる。
【００２９】
また、防水扉Ｄが閉じ位置より開き方向（左方）にスライド移動して、プランジャー３５が戸当り部材３６から離れ、下部押圧棒２４（ｄ）にかかる押圧力が解除されると、図７に示すように、止水ゴム２０の弾発力により下部押圧棒２４（ｄ）は右方向（図５，７矢印ａ′方向）に戻され（止水ゴム２０の弾発力による）、複数のリンク機構Ｌの各アーム３０は、ストッパー部材３３から離れて伏倒揺動され、下部押圧棒２４（ｄ）は内方（屋内側）に平行移動して止水ゴム２０は、図７，８に示すように、床レール１の内側面１ｉから後退（図７，８矢印ｂ′方向）して、そこから離間し止水手段Ｓの作動状態が解除される。
【００３０】
扉本体の１０前、後端面を縁取る前、後外枠１３，１４にも、前記下外枠１２に設けた止水手段Ｓと同じ構造の止水手段Ｓが設けられている（図９には、前外枠１３に設けた止水手段Ｓが示される）。すなわち、前、後外枠１３，１４内には、複数の前記リンク機構Ｌが上下方向に間隔をあけて設けられると共に前部および後部押圧棒２４（ｆ），２４（ｒ）が上下方向に移動可能に設けられ、各リンク機構Ｌのアーム３０の先端は、前部および後部押圧棒２４（ｆ），２４（ｒ）にピン連結される。それらの押圧棒２４（ｆ），２４（ｒ）の上方移動に伴う複数のアーム３０の起立揺動により、それらの押圧棒２４（ｆ），２４（ｒ）は外方に移動されて止水ゴム２０を作動位置に膨出させる。前外枠１３の止水ゴム２０は前記戸当り柱３の内側面３ｉに圧接され、また後外枠１４の止水ゴム２０は前記案内柱４の内側面４ｉに圧接される。
【００３１】
図１０〜１５に示すように、下外枠１２の下部押圧棒２４（ｄ）の前端と、前部押圧棒２４（ｆ）の下端とは前部カム機構Ｃｆにより連接され、また下外枠１２の下部押圧棒２４（ｄ）の後端と、後部押圧棒２４（ｒ）の下端とは、後部カム機構Ｃｒにより連接されていて、下部押圧棒２４（ｄ）が後方に移動（プランジャー３５と戸当り部材３６との当接により）するとき、前記前部カム機構Ｃｆおよび後部カム機構Ｃｒの作動で前部押圧棒２４（ｆ）および後部押圧棒２４（ｒ）をそれぞれ上方に移動させて下外枠１２、前外枠１３および後外枠１４にそれぞれ設けられる止水手段Ｓを同時に作動できるようにされている。そして、前部カム機構Ｃｆおよび後部カム機構Ｃｒは、本発明にかかる連動機構を構成している。
【００３２】
図１０，１１，１３，１４に示すように、前部カム機構Ｃｆは、下部押圧棒２４（ｄ）の前端に固定される第１カム４０および前部押圧棒２４（ｆ）に下端に固定される第２カム４３とよりなり、第１カム４０は、その上面に傾斜カム面４１を有するＶ字状の凹部４２が形成され、一方、第２カム４３は、その下端に傾斜カム面４４を有する凸部４５が形成されており、図１３，１４に示すように、下部押圧棒２４（ｄ）のプランジャー３５が戸当り部材３６に当たっていない状態（防水扉Ｄの開状態）では、第１カム４０の凹部４２に第２カム４３の凸部４５が係合して前外枠１３の前部押圧棒２４（ｆ）は下降しており、止水手段Ｓは作動解除状態にある。また、図１０，１１に示すように、下部押圧棒２４（ｄ）のプランジャー３５が戸当り部材３６に当たった状態では、（防水扉Ｄの閉状態）では、第１カム４０の傾斜カム面４１に沿って第２カム４３が上昇し、前外枠１３の前部押圧棒２４（ｆ）は上昇して、前記止水手段Ｓは作動状態となる。
【００３３】
また、図１０，１２，１３，１５に示すように、後部カム機構Ｃｒは、下部押圧棒２４（ｄ）の後端に固定される第３カム４７および後部押圧棒２４（ｒ）に下端に固定される第４カム５０とよりなり、第３カム４７は、その後端上面に傾斜カム面４８が形成され、一方、第４カム５０は、その下端に前記傾斜カム面４８に当接する凸部５１が形成されており、図１３，１５に示すように、下部押圧棒２４（ｄ）のプランジャー３５が戸当り部材３６に当たっていない状態（防水扉Ｄの開状態）では、第３カム４７の傾斜カム面４８の下部に第４カム５０の凸部５１が係合して後外枠１４の後押圧棒２４（ｒ）は下降しており、止水手段Ｓは作動解除状態にある。また、図１０，１２に示すように、下部押圧棒２４（ｄ）のプランジャー３５が戸当り部材３６に当たった状態では、（防水扉Ｄの閉状態）では、第３カム４７の傾斜カム面４８の上部に第４カム５０の凸部５１が当接し、後外枠１４の後部押圧棒２４（ｒ）は上昇して、前記止水手段Ｓは作動状態となる。
【００３４】
図２，４に示すように、防水扉Ｄの前部上端には、この防水扉Ｄを閉じ位置にロックするためのスナッチロック５３が設けられる。このスナッチロック５３は従来公知のものであるので、その構造を簡単に説明すると、これは、扉本体１０に固定されて横Ｕ字状のロック溝５４を有するロック本体５５と、このロック本体５５に開閉可能に軸支されるフック５６と、このフック５６をロック位置に付勢するロックバネ５７と、このフック５６を閉じ位置に止めるストッパー５８と、フック５６の基端に係合してそのフック５６をロック解除方向に作動するロック解除ピン５９と、このロック解除ピン５９を戻し方向に付勢する戻しバネ６０とより構成されている。
【００３５】
防水扉Ｄが閉じ位置にくると、戸当り柱３に固定した係止部材３７は、ロック本体５５のロック溝５４に係合し、フック５６は、ロックバネ５７のバネ力でロック位置に回動する。これにより、防水扉Ｄはスナッチロック５３を介して戸当り柱３にロックされる。また、ロック解除ピン５９を下方に押圧することにより、フック５６はロック解除方向に回動され、防水扉Ｄのロックが解除される。
【００３６】
つぎに、本発明の前記実施例の作用について説明する。
【００３７】
図１（Ａ）に示すように、平時において、防水扉Ｄは、床レール１に沿って後退させることでことで、防水扉Ｄ開状態となり、建物の出入口Ａを開放することができる。
【００３８】
また集中豪雨、洪水などにより、建物の出入口Ａへ多量の水が急激に浸入する虞れがある非常時には、引戸式の防水扉Ｄを、人がハンドル１６を把持して上部レール２より引き出せば、防水扉Ｄは、その下部の転動輪１８が、床レール１内の山形レール５上を転動し、また案内ローラ１５は、上部レール２に案内されて転動し、引戸式の防水扉Ｄは手動により軽快に閉じ方向に走行され、出入口Ａを迅速に閉じることができる。
【００３９】
ところで、図１（Ｂ）、図２に示すように、防水扉Ｄが出入口Ａを閉じて防水扉Ｄが閉状態になると、プランジャー３５は、戸当り柱３の下部の戸当り部材３６に当接するに至り、下外枠１２に設けた下部押込棒２４（ｄ）は、押し込まれて後方の移動される同時に前記前部および後部カム機構Ｃｆ，Ｃｒを介して前外枠１３に設けた前部押込棒２４（ｆ）および後外枠１４に設けた後部押込棒２４（ｒ）をいずれも上方に移動させる。これにより、下外枠１２、前外枠１３および後外枠１４にそれぞれ設けられる止水手段Ｓの各複数のリンク機構Ｌのアーム３０が一斉に起立回動し、これにより、各押込棒２４（ｄ），２４（ｆ），２４（ｒ）は、外方側（屋外側）に平行移動されて、止水ゴム２０が押し出される。下外枠１２の止水ゴム２０は床レール１の内側面１ｉに、前外枠１３の止水ゴム２０は、戸当り柱３の内側面３ｉに、後外枠１４の止水ゴム２０は案内柱４の内側面４ｉにそれぞれ水密に圧接され、外部から出入口Ａへの浸水を確実に防止することができる。また、このとき、床レール１、戸当り柱３、および案内柱４の内側面にそれぞれ設けた摺動材７は、防水扉Ｄの開閉作動を軽快なものとすることができると共に、前記止水手段Ｓの作動により押し出された止水ゴム２０が、床レール１、戸当り柱３および案内柱４の内側面に圧接したときの圧接力の反力で防水扉Ｄが内側（屋内側）へ横移動するのを防止することができる。
【００４０】
また、防水扉Ｄが閉じ位置にくれば、図２，４に示すように、戸当り柱３の上部の係止部材３７がスナッチロック５３により係止され、防水扉Ｄは閉じ位置にロックされる。
【００４１】
以上のように、この実施例によれば、引戸式の防水扉Ｄを閉じ位置にスライド移動させると自動的に止水手段Ｓが作動して、この防水扉Ｄの下端縁および前、後両側縁を水密のシールすることができ、外部からの浸水を確実に防ぐことができる。
【００４２】
また扉本体１０およびその外縁を縁取る上、下外枠１１，１２および前、後外枠１３，１４はいずれもアルミ合金の押出し材により形成されることにより、それらの製作が容易になり、さらに、それらへの止水手段の組み付け精度およびシール性を高めることができると共にその組付性を向上させることができる。
【００４３】
以上、本発明の実施例について説明したが、本発明はその実施例に限定されることなく、本発明の範囲内で種々の実施例が可能である。たとえば、前記実施例では、構造物として建物を示したが、本発明は、その他の構造物、例えば地下街、地下道、地下駐車場などの出入口にも実施可能である。また、前記実施例では、扉本体およびその外縁を縁取る外枠をアルミ合金の押出し材により形成した場合を説明したが、扉本体の主体部分を板材の折り曲げ加工などにより箱状に形成し、その外縁を縁取る外枠をアルミ合金の押出し材で形成してもよい。
【図面の簡単な説明】
【００４４】
【図１】図１（Ａ）および（Ｂ）は、引戸式防水装置の防水扉Ｄ開状態およびその閉状態を示す斜視図
【図２】図１（Ｂ）の２線矢視拡大図
【図３】図２の３−３線に沿う拡大断面図
【図４】図２の４矢視仮想線囲い部分の拡大図
【図５】図２の５−５線に沿う拡大断面図
【図６】図５の６−６線に沿う拡大断面図
【図７】防水扉Ｄ開状態の図５と同じ断面図
【図８】図７の８−８線に沿う拡大断面図
【図９】図２の９−９線に沿う断面図
【図１０】図２の１０−１０線に沿う概略断面図
【図１１】図１０の１１矢視仮想線囲い部分の斜視図
【図１２】図１０の１２矢視仮想線囲い部分の斜視図
【図１３】防水扉閉状態の図１０と同じ断面図
【図１４】図１３の１４矢視仮想線囲い部分の斜視図
【図１５】図１３の１５矢視仮想線囲い部分の斜視図
【符号の説明】
【００４５】
１・・・・・床レール
２・・・・・上部レール
３・・・・・戸当り柱
４・・・・・案内柱
１０・・・・・扉本体
１２・・・・・下外枠
１３・・・・・前外枠
１４・・・・・後外枠
２０・・・・・防水ゴム
２４（ｄ）・・下部押圧棒
２４（ｆ）・・前部押圧棒
２４（ｒ）・・後部押圧棒
３５・・・・・プランジャー（感知手段）
Ａ・・・・・出入口
Ｃｆ・・・・前部カム機構（連動機構）
Ｃｒ・・・・後部カム機構（連動機構）
Ｄ・・・・・防水扉
Ｌ・・・・・リンク機構
Ｓ・・・・・止水手段
【図１】
2008150829.tif 000003
【図２】
2008150829.tif 000004
【図３】
2008150829.tif 000005
【図４】
2008150829.tif 000006
【図５】
2008150829.tif 000007
【図６】
2008150829.tif 000008
【図７】
2008150829.tif 000009
【図８】
2008150829.tif 000010
【図９】
2008150829.tif 000011
【図１０】
2008150829.tif 000012
【図１１】
2008150829.tif 000013
【図１２】
2008150829.tif 000014
【図１３】
2008150829.tif 000015
【図１４】
2008150829.tif 000016
【図１５】
2008150829.tif 000017